(57)【要約】【課題】容易に多機能化を実現できるオーディオシステム等を提供する。【解決手段】ポータブル機器１とホーム機器２との接続が検出されると、楽曲管理データ１１ａがポータブル機器１からホーム機器２に供給される。ホーム機器２は、この楽曲管理データ１１ａから楽曲データ１１ｂをランダムに選択すると、その楽曲の再生指示をポータブル機器１に送信する。一方、ポータブル機器１は、再生指示に従って、対象の楽曲データ１１ｂを再生部１２にて再生し、楽曲信号をホーム機器２に供給する。そして、ホーム機器２は、供給された楽曲信号に基づく楽曲音をスピーカ２４にて出力する。このように、ポータブル機器１側にランダム再生機能が備わっていなくとも、ホーム機器２側の制御によって、ランダム再生を実現できる。【選択図】図１
2007172792.tif 000002
【特許請求の範囲】
【請求項１】
楽曲データを記憶するポータブル機器と、当該ポータブル機器を制御するホーム機器とが所定のケーブルを介して接続されたオーディオシステムであって、
前記ホーム機器は、
楽曲データの管理情報を、前記ポータブル機器から取得する情報取得手段と、
前記情報取得手段が取得した管理情報から再生対象の楽曲データを選択する楽曲選択手段と、
前記楽曲選択手段が選択した楽曲データの再生を、前記ポータブル機器に指示する再生指示手段と、
前記再生指示手段による再生指示に応答して前記ポータブル機器から供給される楽曲信号を受信する信号受信手段と、
前記信号受信手段が受信した楽曲信号に従って、楽曲音を出力する出力手段と、
前記ポータブル機器における再生の終了を判別する判別手段と、
前記判別手段が再生の終了を判別した際に、前記楽曲選択手段を制御して次の楽曲データを選択させ、当該楽曲データを、前記再生指示手段を制御して前記ポータブル機器に再生させる再生制御手段と、を備え、
前記ポータブル機器は、
複数の楽曲データ及び当該楽曲データを管理する管理情報を記憶する記憶手段と、
前記ホーム機器からの再生指示に従って、対象の楽曲データを再生する楽曲再生手段と、
前記楽曲再生手段による楽曲データの再生に伴い生成される楽曲信号を、前記ホーム機器に供給する信号供給手段と、を備える、
ことを特徴とするオーディオシステム。
【請求項２】
前記楽曲選択手段は、所定のロジックに従って、楽曲データをランダムに選択する、
ことを特徴とする請求項１に記載のオーディオシステム。
【請求項３】
前記楽曲選択手段は、所定の楽曲リストに従って、楽曲データを順次選択する、
ことを特徴とする請求項１に記載のオーディオシステム。
【請求項４】
前記情報取得手段は、前記ホーム機器が前記ポータブル機器と接続されたことを検出し、前記ポータブル機器から管理情報を取得する、
ことを特徴とする請求項１乃至３の何れか１項に記載のオーディオシステム。
【請求項５】
複数の楽曲データ及び当該楽曲データを管理する管理情報を記憶するポータブル機器と、当該ポータブル機器を制御するホーム機器とが所定のケーブルを介して接続されたオーディオシステムにおける再生制御方法であって、
ホーム機器にて、ポータブル機器から管理情報を取得する情報取得ステップと、
ホーム機器にて、前記情報取得ステップが取得した管理情報から再生対象の楽曲データを選択する楽曲選択ステップと、
ホーム機器にて、前記楽曲選択ステップが選択した楽曲データの再生を、ポータブル機器に指示する再生指示ステップと、
ポータブル機器にて、前記再生指示ステップによる再生指示に従って、対象の楽曲データを再生する楽曲再生ステップと、
ポータブル機器にて、前記楽曲再生ステップによる楽曲データの再生に伴い生成される楽曲信号を、ホーム機器に供給する信号供給ステップと、
ホーム機器にて、ポータブル機器から供給される楽曲信号を受信する信号受信ステップと、
ホーム機器にて、前記信号受信ステップが受信した楽曲信号に従って、楽曲音を所定のスピーカから出力する出力ステップと、
ホーム機器にて、ポータブル機器における再生の終了を判別する判別ステップと、
ホーム機器にて、前記判別ステップが再生の終了を判別した際に、前記楽曲選択ステップを制御して次の楽曲データを選択させ、当該楽曲データを、前記再生指示ステップを制御してポータブル機器に再生させる再生制御ステップと、
を備えることを特徴とする再生制御方法。
【発明の詳細な説明】
【技術分野】
【０００１】
この発明は、オーディオシステム、および、再生制御方法に関する。
【背景技術】
【０００２】
近年、不揮発性メモリに楽曲データ等を記憶するデジタルプレーヤと呼ばれるポータブル機器が開発され、市販されている。このようなポータブル機器は、従来の携帯型のＣＤプレーヤやＭＤプレーヤ等と比べて、音飛びが発生しないこと、また、より多くの楽曲データを記憶できること、そして、より小型化（薄型化）・軽量化されたこと等から、広く普及してきている。
【０００３】
このようなポータブル機器（携帯用デジタル情報再生装置）の一例として、電池交換の直前に再生した楽曲データを容易に再生できる技術も開示されている（例えば、特許文献１参照）。
【特許文献１】特開２００２−２５８９９５公報  （第３−５頁、第１図）
【０００４】
最近では、ポータブル機器に使用される不揮発性メモリの大容量化が更に進んだことや、不揮発性メモリの代わりに超小型のハードディスクが採用されたこと等から、極めて大量のコンテンツ（楽曲データ等）が、ポータブル機器に格納（記憶）できるようになっている。
そのため、ユーザは、例えば、自己が所有する全てのコンテンツをポータブル機器に格納し、出先等であっても、好みの楽曲を自由に選んで聴くことができる。また、室内（自宅等）では、ポータブル機器のヘッドフォンを使用する代わりに、ポータブル機器をステレオ等のホーム機器に接続し、ホーム機器のスピーカからＨｉＦｉ（High-Fidelity）音楽を楽しむこともできる。
【発明の開示】
【発明が解決しようとする課題】
【０００５】
上述したような、ポータブル機器をホーム機器に接続して使用する場合、ホーム機器側から、あたかもリモコン（リモートコントローラ）のように、ポータブル機器を制御できる。例えば、ホーム機器は、再生、停止、ＳＫＩＰ、ＵＰ／ＤＯＷＮ等の基本的なキー操作の指示を、制御ラインを介してポータブル機器に供給し、ポータブル機器を制御する。
つまり、ポータブル機器をホーム機器に接続してしまえば、ポータブル機器を直接操作することなく、ホーム機器の標準デバイス（チューナやＣＤ／ＭＤプレイヤ等）を使用するように、ホーム機器側からポータブル機器を制御することができる。
【０００６】
しかしながら、ホーム機器側からポータブル機器を制御する場合、ポータブル機器側に備えられている機能を、ホーム機器から指示して制御するだけであるため、ホーム機器側の機能を充分に活かしきれないという問題があった。
つまり、ポータブル機器よりもホーム機器の方が、一般的に多機能であるため、ホーム機器には備えられているが、ポータブル機器には備えられていない機能も多い。そして、このようなホーム機器側だけに備えられている機能（特有機能）を、ポータブル機器の制御に利用することはできないことになる。
【０００７】
この対応策として、ホーム機器と同様に多様な機能を有するポータブル機器を開発することも考えられるが、ポータブル機器側の多機能化は、その分だけ開発コストや製品価格等を押し上げてしまうため、あまり現実的でない。
そのため、ポータブル機器側の既存機能（基本的な機能）を使用して、ホーム機器側の特有機能を利用できるオーディオシステムの実現が求められていた。
【０００８】
本発明は、上記実状に鑑みてなされたもので、容易に多機能化を実現できるオーディオシステム、および、再生制御方法を提供することを目的とする。
【課題を解決するための手段】
【０００９】
上記目的を達成するため、本発明の第１の観点に係るオーディオシステムは、
楽曲データを記憶するポータブル機器と、当該ポータブル機器を制御するホーム機器とが所定のケーブルを介して接続されたオーディオシステムであって、
前記ホーム機器は、
楽曲データの管理情報を、前記ポータブル機器から取得する情報取得手段と、
前記情報取得手段が取得した管理情報から再生対象の楽曲データを選択する楽曲選択手段と、
前記楽曲選択手段が選択した楽曲データの再生を、前記ポータブル機器に指示する再生指示手段と、
前記再生指示手段による再生指示に応答して前記ポータブル機器から供給される楽曲信号を受信する信号受信手段と、
前記信号受信手段が受信した楽曲信号に従って、楽曲音を出力する出力手段と、
前記ポータブル機器における再生の終了を判別する判別手段と、
前記判別手段が再生の終了を判別した際に、前記楽曲選択手段を制御して次の楽曲データを選択させ、当該楽曲データを、前記再生指示手段を制御して前記ポータブル機器に再生させる再生制御手段と、を備え、
前記ポータブル機器は、
複数の楽曲データ及び当該楽曲データを管理する管理情報を記憶する記憶手段と、
前記ホーム機器からの再生指示に従って、対象の楽曲データを再生する楽曲再生手段と、
前記楽曲再生手段による楽曲データの再生に伴い生成される楽曲信号を、前記ホーム機器に供給する信号供給手段と、を備える、
ことを特徴とする。
【００１０】
前記楽曲選択手段は、所定のロジックに従って、楽曲データをランダムに選択してもよい。
【００１１】
前記楽曲選択手段は、所定の楽曲リストに従って、楽曲データを順次選択してもよい。
【００１２】
前記情報取得手段は、前記ホーム機器が前記ポータブル機器と接続されたことを検出し、前記ポータブル機器から管理情報を取得してもよい。
【００１３】
上記目的を達成するため、本発明の第２の観点に係る再生制御方法は、
複数の楽曲データ及び当該楽曲データを管理する管理情報を記憶するポータブル機器と、当該ポータブル機器を制御するホーム機器とが所定のケーブルを介して接続されたオーディオシステムにおける再生制御方法であって、
ホーム機器にて、ポータブル機器から管理情報を取得する情報取得ステップと、
ホーム機器にて、前記情報取得ステップが取得した管理情報から再生対象の楽曲データを選択する楽曲選択ステップと、
ホーム機器にて、前記楽曲選択ステップが選択した楽曲データの再生を、ポータブル機器に指示する再生指示ステップと、
ポータブル機器にて、前記再生指示ステップによる再生指示に従って、対象の楽曲データを再生する楽曲再生ステップと、
ポータブル機器にて、前記楽曲再生ステップによる楽曲データの再生に伴い生成される楽曲信号を、ホーム機器に供給する信号供給ステップと、
ホーム機器にて、ポータブル機器から供給される楽曲信号を受信する信号受信ステップと、
ホーム機器にて、前記信号受信ステップが受信した楽曲信号に従って、楽曲音を所定のスピーカから出力する出力ステップと、
ホーム機器にて、ポータブル機器における再生の終了を判別する判別ステップと、
ホーム機器にて、前記判別ステップが再生の終了を判別した際に、前記楽曲選択ステップを制御して次の楽曲データを選択させ、当該楽曲データを、前記再生指示ステップを制御してポータブル機器に再生させる再生制御ステップと、
を備えることを特徴とする。
【発明の効果】
【００１４】
本発明によれば、機器の接続により、容易に多機能化を実現することができる。
【発明を実施するための最良の形態】
【００１５】
本発明の実施の形態にかかるオーディオシステムについて、以下図面を参照して説明する。
【００１６】
図１は、この発明の実施形態に適用されるオーディオシステムの構成の一例を示す模式図である。
図示するように、このオーディオシステムは、ポータブル機器１と、ホーム機器２とがケーブルＣＡを介して接続されて構成される。つまり、ポータブル機器１の端子Ｔ１にケーブルＣＡの一端が装着され、また、ホーム機器２の端子Ｔ２にケーブルＣＡの他の一端が装着されている。
このケーブルＣＡは、例えば、４Ｐ接続（Ｌ，Ｒ，ＧＮＤ，コントロール）のコネクタケーブルからなる。つまり、ケーブルＣＡは、Ｌ，Ｒ（Ｌライン及びＲライン）によって、後述するように、ポータブル機器１にて再生された楽曲信号をホーム機器２に供給可能であり、また、コントロール（コントロールライン）によって、ポータブル機器１とホーム機器２との間で送受信される制御信号を伝達可能である。
なお、ケーブルＣＡは、ポータブル機器１及び、ホーム機器２との間で着脱自在である。
【００１７】
ポータブル機器１は、例えば、デジタルプレーヤ等からなり、記憶部１１と、再生部１２と、増幅器１３と、制御部１４と、通信部１５とを備えている。
なお、図中には、省略してあるが、ポータブル機器１には、他に、操作部、表示部、そして、別途出力端子に接続されたヘッドフォン（イヤフォン）等も含まれている。そして、ポータブル機器１は、ホーム機器２と接続していない単独使用時に、ユーザによる操作部からの再生指示等に応じて、楽曲を再生し、ヘッドフォンから楽曲音を出力可能となっている。
【００１８】
記憶部１１は、例えば、不揮発性メモリやハードディスク等からなり、楽曲管理データ１１ａ及び、複数の楽曲データ１１ｂ等を記憶する。
楽曲管理データ１１ａは、各楽曲データ１１ｂを管理するための管理情報である。例えば、楽曲管理データ１１ａには、各楽曲データ１１ｂの名称（ファイル名や楽曲タイトル等）、格納先（フォルダ名やアドレス等）、容量（サイズや再生時間等）、及び、形式（フォーマットやサンプリング／ビットレート等）等が含まれている。
一方、楽曲データ１１ｂは、例えば、所定形式で圧縮（コーデック）された音楽ファイルである。なお、楽曲データ１１ｂに、所定の著作権保護情報が付加されている場合には、当該ポータブル機器１だけで再生可能となる。
【００１９】
再生部１２は、制御部１４に制御され、再生対象の楽曲データ１１ｂを記憶部１１から読み出して再生（デコード等）し、楽曲信号を生成する。そして、生成した楽曲信号を増幅器１３に供給する。
また、再生部１２は、楽曲データ１１ｂを再生する際にステータス情報（再生中や再生終了等）を制御部１４に供給する。
【００２０】
増幅器１３は、再生部１２により楽曲データ１１ｂの再生に伴い生成される楽曲信号を、適宜増幅する。この際、増幅率（ボリューム等）は、制御部１４にて設定されている。そして、適宜増幅させた楽曲信号を、端子Ｔ１に接続されたケーブルＣＡを介して、ホーム機器２に供給する。
【００２１】
制御部１４は、メモリを備えたＣＰＵ（Central Processing Unit）等からなり、ポータブル機器１全体を制御する。
具体的に制御部１４は、ポータブル機器１がケーブルＣＡによりホーム機器２と接続されると、記憶部１１から楽曲管理データ１１ａを読み出す。そして、通信部１５を制御し、楽曲管理データ１１ａをホーム機器２に供給（送信）する。
また、制御部１４は、通信部１５がホーム機器２から送られた再生指示を受信すると、当該再生指示に従って、対象の楽曲データ１１ｂを再生部１２に再生させる。この再生部１２による楽曲データ１１ｂの再生に伴い、ケーブルＣＡを介して、楽曲信号がホーム機器２に供給される。
そして、制御部１４は、再生部１２にて楽曲データ１１ｂの再生が終了すると（再生終了のステータス情報を得ると）、通信部１５を制御し、再生終了のステータス情報をホーム機器２に供給する。
【００２２】
通信部１５は、制御部１４に制御され、ケーブルＣＡを介して接続されたホーム機器２との間で、制御信号を送受信する。例えば、通信部１５は、楽曲管理データ１１ａを制御信号としてホーム機器２に送信し、また、制御信号としてホーム機器２から送られる再生指示を受信する。
【００２３】
一方、ホーム機器２は、例えば、ステレオ等からなり、チューナ２０と、ディスク再生部２１と、セレクタ２２と、アンプ２３と、スピーカ２４と、リモコン２５と、受信部２６と、処理制御部２７と、通信部２８と、記憶部２９とを備えている。
【００２４】
チューナ２０は、例えば、ＡＭ／ＦＭチューナ等からなり、処理制御部２７に制御され、所定の放送局から送られる放送電波を受信し、復調した音声信号をセレクタ２２を通じてアンプ２３に供給する。
【００２５】
ディスク再生部２１は、例えば、ＣＤプレーヤやＭＤプレーヤ等からなり、処理制御部２７からの指示に従って、ディスクに記録された楽曲を再生する。そして、再生した楽曲信号をセレクタ２２を通じてアンプ２３に供給する。
【００２６】
セレクタ２２は、例えば、３入力１出力の選択回路等からなり、処理制御部２７に制御される。
セレクタ２２は、端子Ｔ２に接続されたケーブルＣＡを介してポータブル機器１から供給される楽曲信号、チューナ２０から供給される音声信号、及び、ディスク再生部２１から供給される楽曲信号を入力する。そして、処理制御部２７からの制御により、入力した楽曲信号（音声信号）の何れか１つを選択して（何れかの入力に切り替えて）、アンプ２３に供給する。
【００２７】
アンプ２３は、例えば、イコライザ機能を備えた増幅ユニット等からなり、セレクタ２２を通じて供給される楽曲信号（音声信号）を適宜増幅等して、スピーカ２４に供給する。
【００２８】
スピーカ２４は、例えば、２チャンネルのステレオスピーカ等からなり、アンプ２３から供給された楽曲信号に基づいて、楽曲音を出力する。
【００２９】
リモコン（リモートコントローラ）２５は、例えば、種々のキーが配置された赤外線リモコン等からなり、ユーザのキー操作に応じた赤外線信号を受信部２６に向けて送信する。
【００３０】
受信部２６は、例えば、赤外線受信ユニット等からなり、リモコン２５から送られた赤外線信号を受信する。そして、受信した赤外線信号をデコードして得たユーザからの操作指示を、処理制御部２７に供給する。
【００３１】
処理制御部２７は、ＣＰＵ等からなり、ホーム機器２全体を制御する。
具体的に処理制御部２７は、ケーブルＣＡを介したポータブル機器１との接続を通信部２８が検出すると、ポータブル機器１から供給される楽曲管理データ１１ａを、通信部２８を通じて取得する。
また、処理制御部２７は、取得した楽曲管理データ１１ａを記憶部２９に記憶すると共に、この楽曲管理データ１１ａから、１曲の楽曲データ１１ｂをランダムに選択する。
このランダム選択は、例えば、全楽曲数の範囲で乱数を発生させ、乱数に応じて楽曲データ１１ｂを選択してもよく、また、全フォルダ数の範囲で乱数を発生させてフォルダを選択し、更にそのフォルダ内の楽曲数の範囲で乱数を発生させて楽曲データ１１ｂを選択してもよい。つまり、楽曲データ１１ｂをランダムに選択するロジックは、任意である。
そして、処理制御部２７は、選択した楽曲データ１１ｂの再生を指示する再生指示コマンド（例えば、「ファイル名」＋「１曲再生指令」等）を生成し、通信部２８を通じてポータブル機器１に送信する。
【００３２】
通信部２８は、制御処理部２７に制御され、ホーム機器２がケーブルＣＡによりポータブル機器１と接続された状態で、ポータブル機器１との間で、制御信号を送受信する。例えば、通信部２８は、ホーム機器２との接続を検出すると、制御信号としてポータブル機器１から送られる楽曲管理データ１１ａを受信する。また、処理制御部２７にて楽曲データ１１ｂが選択されると、その楽曲の再生指示を制御信号としてポータブル機器１に送信する。
【００３３】
記憶部２９は、メモリ等からなり、ポータブル機器１から供給される楽曲管理データ１１ａを記憶する。また、記憶部２９は、処理制御部２７が各種処理を実行する際に必要となる種々の情報を記憶する。
【００３４】
以下、このような構成のオーディオシステムの動作について、図２を参照して説明する。図２は、ポータブル機器１及びホーム機器２にて実行されるランダム再生処理（ポータブル機器１側処理及び、ホーム機器２側処理）を説明するためのフローチャートである。
なお、このランダム再生処理は、ケーブルＣＡを介したポータブル機器１とホーム機器２との接続に伴って、開始される。
【００３５】
まず、ポータブル機器１は、ホーム機器２との接続を待機し（ステップＳ１１）、また、ホーム機器２は、ポータブル機器１との接続を待機する（ステップＳ２１）。つまり、ケーブルＣＡを介して、ポータブル機器１とホーム機器２とが接続されるまで、両機器は、ランダム再生処理における後続処理の実行を待機する。
【００３６】
そして、ポータブル機器１とホーム機器２とがケーブルＣＡにて接続されると、ポータブル機器１は、楽曲管理データ１１ａを記憶部１１から読み出し、ケーブルＣＡを介して、ホーム機器２に供給し（ステップＳ１２）、また、ホーム機器２は、ポータブル機器１から供給される楽曲管理データ１１ａを受信する（ステップＳ２２）。
すなわち、ポータブル機器１とホーム機器２との接続が検出されると、ポータブル機器１における各楽曲データ１１ｂの管理情報である楽曲管理データ１１ａが、ポータブル機器１からホーム機器２に供給される。なお、供給された楽曲管理データ１１ａは、ホーム機器２の記憶部２９に記憶される。
【００３７】
ホーム機器２は、取得した楽曲管理データ１１ａから、１曲の楽曲データ１１ｂをランダムに選択する（ステップＳ２３）。例えば、ホーム機器２は、楽曲管理データ１１ａに含まれる複数のファイル名（各フォルダ配下のそれぞれのファイル名）から１つのファイル名を、ランダムに選択する。
ホーム機器２は、選択した楽曲（ファイル名）の再生指示を、ケーブルＣＡを介して、ポータブル機器１に送信する（ステップＳ２４）。例えば、ホーム機器２は、「ファイル名」＋「１曲再生指令」を含んだ再生指示コマンドを生成してポータブル機器１に送信する。
なお、これらのランダム選択及び再生指示は、ユーザによるリモコン２５の操作に応答して行ってもよく、また、楽曲管理データ１１ａの取得により自動的に行ってもよい。
また、この時点で、セレクタ２２がポータブル機器１からの楽曲信号を選択していなかった場合（チューナ２０やディスク再生部２１を選択していた場合）に、セレクタ２２の入力をポータブル機器１からの楽曲信号に自動的に切り替えるようにしてもよい。
【００３８】
ポータブル機器１は、上述のステップＳ１２にて楽曲管理データ１１ａをホーム機器２に供給した後、ホーム機器２から送信される再生指示を待機する（ステップＳ１３）。
そして、ホーム機器２から再生指示が送信されると、ポータブル機器１は、その再生指示に従って、対象の楽曲データ１１ｂを再生し、再生に伴う楽曲信号を、ケーブルＣＡを介して、ホーム機器２に供給する（ステップＳ１４）。例えば、ポータブル機器１は、「ファイル名」＋「１曲再生指令」を含む再生指示コマンドを受信すると、そのファイル名の楽曲データ１１ｂを記憶部１１から読み出し、再生部１２にて再生する。そして、再生に伴い生成した楽曲信号を増幅器１３にて適宜増幅した後、ホーム機器２に供給する。
ポータブル機器１は、当該楽曲データ１１ｂの再生終了を判別しつつ（ステップＳ１５）、再生（楽曲信号の供給）を行う。
【００３９】
ホーム機器２は、ポータブル機器１から楽曲信号が供給されると、この楽曲信号に基づく楽曲音を出力する（ステップＳ２５）。つまり、ポータブル機器１から供給される楽曲信号をアンプ２３にて適宜増幅等した後、スピーカ２４から楽曲音として出力する。
ホーム機器２は、終了ステータス（ポータブル機器１から送られる再生終了のステータス情報）の受信を判別しつつ（ステップＳ２６）、楽曲音の出力を行う。
【００４０】
ポータブル機器１は、上述のステップＳ１５にて再生終了を判別すると、再生終了のステータス情報を、ケーブルＣＡを介して、ホーム機器２に供給する（ステップＳ１６）。なお、ポータブル機器１は、再生指示に「１曲再生指令」が含まれていたため、再生動作を一旦終了する（一時停止する）。
そして、ポータブル機器１は、ホーム機器２との接続が断たれていないことを判別し（ステップＳ１７）、上述したステップＳ１３に処理を戻す。つまり、再度、再生指示を待機し、再生指示を受信すると、対象の楽曲データ１１ｂの再生（楽曲信号のホーム機器２への供給）を行う。
なお、ホーム機器２との接続が断たれた場合に、ポータブル機器１は、上述のステップＳ１１に処理を戻す。
【００４１】
ホーム機器２は、上述のステップＳ２６にて、終了ステータスの受信を判別すると、最終曲であったか（所定曲数の楽曲又は、全楽曲の再生を終えたか）否かを判別し（ステップＳ２７）、最終曲でなかった場合に、上述のステップＳ２３に処理を戻す。つまり、再度、１曲の楽曲データ１１ｂをランダムに選択して、再生指示をポータブル機器１に送信し、応答して供給される楽曲信号にて楽曲音を出力する。
なお、最終曲であった場合に、ホーム機器２は、処理を終える。
【００４２】
このようなランダム再生処理によって、ポータブル機器１側にランダム再生機能が備わっていなくとも、ホーム機器２側の制御によって、ランダム再生を実現することができる。つまり、ポータブル機器１側の既存機能（基本的な機能）を使用して、ホーム機器２側の特有機能を利用できる。
【００４３】
また、ポータブル機器１側には、汎用的な再生機器としての必要最低限の機能を実装するだけでよく、ホーム機器２と接続するだけで、容易に（安価に）多機能化が実現できる。
更に、ホーム機器２側としても、ランダム再生機能を、既に、ＣＤやＭＤの再生制御の一機能として有しているため、ポータブル機器１を利用したランダム再生を実現するに際して、既存のアルゴリズムやプログラムを有効に活用できる。これにより、ポータブル機器１を実際に制御するプログラムの追加や変更を必要最低限に抑えられ、また、プログラム品質の維持も図れる。
更にまた、ユーザ側としても、ＣＤやＭＤの場合と同じユーザインタフェース（同様の表示と同様の操作）により、ポータブル機器１を使用したランダム再生が行えるため、戸惑うことなく、動作状況の認識や操作指示を行えることになる。
【００４４】
上記の実施の形態では、ランダム再生を行う場合を一例として、本願発明に係るオーディオシステムを説明したが、ランダム再生以外に他の動作を行うようにしてもよい。例えば、プログラム再生（お気に入り再生、リスト再生等）を行うようにしてもよい。
【００４５】
以下、プログラム再生を行う場合の動作について、図３を参照して説明する。図３は、ポータブル機器１及びホーム機器２にて実行されるプログラム再生処理（ポータブル機器１側処理及び、ホーム機器２側処理）を説明するためのフローチャートである。
なお、このプログラム再生処理も、ケーブルＣＡを介したポータブル機器１とホーム機器２との接続に伴って、開始される。
【００４６】
まず、ポータブル機器１及びホーム機器２は、相互に接続を待機する（ステップＳ３１，４１）。そして、ポータブル機器１とホーム機器２とが接続されると、ポータブル機器１は、楽曲管理データ１１ａをホーム機器２に供給し（ステップＳ３２）、また、ホーム機器２は、供給される楽曲管理データ１１ａを受信する（ステップＳ４２）。
【００４７】
ホーム機器２は、受信した楽曲管理データ１１ａに従って、楽曲タイトル等を表示し、ユーザによるリモコン２５の操作指示に従って、プログラム再生のための楽曲リストを生成する（ステップＳ４３）。
そして、ホーム機器２は、楽曲リストの順番に、１曲の楽曲データ１１ｂを選択し（ステップＳ４４）、その楽曲の再生指示（例えば、「ファイル名」＋「１曲再生指令」を含む再生指示コマンド）を、ポータブル機器１に送信する（ステップＳ４５）。
【００４８】
ポータブル機器１は、再生指示を待機し（ステップＳ３３）、ホーム機器２から再生指示が送信されると、その再生指示に従って対象の楽曲データ１１ｂを再生し、再生に伴う楽曲信号をホーム機器２に供給する（ステップＳ３４）。ポータブル機器１は、当該楽曲データ１１ｂの再生終了を判別しつつ（ステップＳ３５）、再生を行う。
【００４９】
ホーム機器２は、ポータブル機器１から供給される楽曲信号に基づいて楽曲音を出力する（ステップＳ４６）。ホーム機器２は、終了ステータスの受信を判別しつつ（ステップＳ４７）、楽曲音の出力を行う。
【００５０】
ポータブル機器１は、楽曲の再生終了を判別すると、再生終了のステータス情報をホーム機器２に供給する（ステップＳ３６）。そして、ホーム機器２との接続が断たれていないことを判別し（ステップＳ３７）、上述したステップＳ３３に処理を戻す。なお、ホーム機器２との接続が断たれた場合に、ポータブル機器１は、上述のステップＳ３１に処理を戻す。
【００５１】
ホーム機器２は、終了ステータスの受信を判別すると、最終曲であったか（楽曲リスト全曲分の再生を終えたか）否かを判別し（ステップＳ４８）、最終曲でなかった場合に、上述のステップＳ４４に処理を戻す。なお、最終曲であった場合に、ホーム機器２は、処理を終える。
【００５２】
このようなプログラム再生処理によって、ポータブル機器１側にプログラム再生機能が備わっていなくとも、ホーム機器２側の制御によって、プログラム再生を実現することができる。つまり、ポータブル機器１側の既存機能（基本的な機能）を使用して、ホーム機器２側の特有機能を利用できる。
【００５３】
また、ポータブル機器１側には、汎用的な再生機器としての必要最低限の機能を実装するだけでよく、ホーム機器２と接続するだけで、容易に（安価に）多機能化が実現できる。
更に、ホーム機器２側としても、プログラム再生機能を、既に、ＣＤやＭＤの再生制御の一機能として有しているため、ポータブル機器１を利用したプログラム再生を実現するに際して、既存のアルゴリズムやプログラムを有効に活用できる。これにより、ポータブル機器１を実際に制御するプログラムの追加や変更を必要最低限に抑えられ、また、プログラム品質の維持も図れる。
更にまた、ユーザ側としても、ＣＤやＭＤの場合と同じユーザインタフェース（同様の表示と同様の操作）により、ポータブル機器１を使用したプログラム再生が行えるため、戸惑うことなく、動作状況の認識や操作指示を行えることになる。
【００５４】
上記の実施形態では、ホーム機器２側の特有機能としてのランダム再生やプログラム再生を、ポータブル機器１の既存機能を使用して実現する場合について説明したが、特有機能は、これらの再生に限られず任意である。
また、これらランダム再生やプログラム再生を行う際に、ポータブル機器１に記憶される楽曲データ１１ｂだけを対象とする場合について説明したが、他に、ホーム機器２側の楽曲データも含めて対象としてもよい。
例えば、上述したランダム再生処理において、ホーム機器２は、受信した楽曲管理データ１１ａ及び、装填されたＣＤやＭＤの管理情報（ＴＯＣ等）から、楽曲を選択する。そして、ポータブル機器１の楽曲データ１１ｂを選択した場合では、ポータブル機器１にその楽曲の再生指示を行い、また、装填されたＣＤ等の楽曲（トラック）を選択した場合では、ディスク再生部２１にてその楽曲を再生する。なお、その際、ホーム機器２は、セレクタ２２を制御し、再生される楽曲信号を適宜選択する。
同様に、プログラム再生処理において、ホーム機器２は、受信した楽曲管理データ１１ａ及び、装填されたＣＤやＭＤの管理情報により、楽曲タイトル等を表示し、ユーザが、両方から自由に楽曲を選べるようにする。そして、ユーザの操作指示に従って楽曲リストを生成すると、その楽曲リストの順番に楽曲を選択する。この際にも、ポータブル機器１の楽曲データ１１ｂの場合では、ポータブル機器１にその楽曲の再生指示を行い、また、ＣＤ等の楽曲の場合では、ディスク再生部２１にてその楽曲を再生する。
このように、ポータブル機器１の楽曲だけでなく、ＣＤやＭＤの楽曲を含めたシステム全体でのランダム再生やプログラム再生を実現することができる。
【００５５】
上記の実施形態では、楽曲データ１１ｂ等（音声データ）をランダム再生やプログラム再生する場合について説明したが、再生対象のコンテンツは、楽曲に限られず任意である。例えば、他に映像データも併せて再生するようにしてもよい。
具体的には、ポータブル機器１にて、映像及び音声を再生可能とし、再生された映像信号及び音声信号がホーム機器２に供給されるようにする。一方のホーム機器２には、表示部を更に備えたり、また、外部の表示装置に映像信号を出力できるようにする。そして、上記と同様に、ポータブル機器１を制御してランダム再生やプログラム再生を行い、再生された映像信号及び音声信号をホーム機器２側で表示や出力する。
この場合も、機器の接続により、容易に多機能化を実現することができる。
【００５６】
上記の実施形態では、ホーム機器２としてステレオ等を用いた場合について説明したが、ホーム機器２は、このようなステレオ等に限られず任意である。例えば、スピーカを備えたパーソナルコンピュータ等の情報機器をホーム機器２として用いてもよい。
【００５７】
以上説明したように、本発明によれば、機器の接続により、容易に多機能化を実現することができる。
【図面の簡単な説明】
【００５８】
【図１】本発明の実施形態に適用されるオーディオシステムの構成の一例を示す模式図である。
【図２】本発明の実施形態に適用されるランダム再生処理を説明するためのフローチャートである。
【図３】本発明の実施形態に適用されるプログラム再生処理を説明するためのフローチャートである。
【符号の説明】
【００５９】
１    ポータブル機器
１１  記憶部
１２  再生部
１３  増幅器
１４  制御部
１５  通信部
２    ホーム機器
２０  チューナ
２１  ディスク再生部
２２  セレクタ
２３  アンプ
２４  スピーカ
２５  リモコン
２６  受信部
２７  処理制御部
２８  通信部
２９  記憶部
ＣＡ  ケーブル
【図１】
2007172792.tif 000003
【図２】
2007172792.tif 000004
【図３】
2007172792.tif 000005